(57)【要約】【課題】  造影剤用のコップや水用のコップ、あるいは、発泡剤等を、被検者が自ら容易に受け取り、または、載置することが可能なテーブルを備えたＸ線透視撮影装置を提供する。【解決手段】  テーブル３０は、支持軸３１の軸心方向への移動に伴って、平面視において天板１３および支持枠２２より側方に突出した突出位置と、天板１３および支持枠２２の裏面側に配置される収納位置との間を移動する。そして、テーブル３０が突出位置にあるときには、テーブル３０は、その表面が水平となる位置で固定される。【選択図】        図１
2018046918.tif 000002
【特許請求の範囲】
【請求項１】
Ｘ線管と、前記Ｘ線管から照射され被検者を通過したＸ線を検出するＸ線検出器とを有する撮影系と、
前記Ｘ線管と前記Ｘ線検出器の間に配置され、表面に前記被検者を載置可能な天板と、
前記天板を支持する天板支持機構と、
前記撮影系と前記天板とを、水平方向を向く軸を中心に互いに同期して回動させる回動機構と、
を備えたＸ線透視撮影装置において、
前記天板の裏面側に配置される収納位置と、前記天板より突出した突出位置との間を移動可能なテーブルと、
前記テーブルが前記突出位置にあるときに、前記テーブルを当該テーブルの表面が水平となる位置で固定させる固定機構と、
を備えたことを特徴とするＸ線透視撮影装置。
【請求項２】
請求項１に記載のＸ線透視撮影装置において、
前記天板に接続され、前記天板支持機構に対して回転可能に支持された支持軸と、
前記支持軸をその軸心方向に移動させることにより、前記テーブルを、前記収納位置と前記突出位置との間で移動させるスライド機構と、
前記テーブルが前記突出位置にあるときに、前記テーブルの表面が水平となる位置において、前記支持軸の回転を規制する回転規制機構と、
を備えるＸ線透視撮影装置。
【請求項３】
請求項２に記載のＸ線透視撮影装置において、
前記支持軸は、前記撮影系の移動領域より前記天板から離隔した位置に配置されるＸ線透視撮影装置。
【請求項４】
請求項１から請求項３のいずれかに記載のＸ線透視撮影装置において、
前記突出位置は、前記テーブルが前記天板における前記天板支持機構とは逆側の側面に配置される位置であるＸ線透視撮影装置。
【発明の詳細な説明】
【技術分野】
【０００１】
この発明は、被検者に対してＸ線透視およびＸ線撮影を実行するＸ線透視撮影装置に関する。
【背景技術】
【０００２】
このようなＸ線透視撮影装置は、Ｘ線管と、このＸ線管から照射され被検者を通過したＸ線を検出するＸ線検出器とから成る撮影系と、Ｘ線管とＸ線検出器の間に配置された天板と、この天板を支持する天板支持機構と、撮影系と天板とを互いに同期して回動させる回動機構とを備える。そして、被検者が天板上に載置された状態で、Ｘ線透視またはＸ線撮影が実行される。
【０００３】
このようなＸ線透視撮影装置においては、Ｘ線透視またはＸ線撮影を実行している途中で、被検者がバリウム等の造影剤や、発泡剤、あるいは、水等を飲む場合がある。このため、Ｘ線透視またはＸ線撮影を実行中に、被検者が造影剤等を手に取ることが可能な構成とする必要がある。
【０００４】
特許文献１には、バリウムコップ受けを支柱の側面に配設したＸ線透視撮影台が開示されている。また、特許文献２には、バリウムのコップ受けを吸盤または永久磁石により任意の位置に固定することができるＸ線透視撮影台が開示されている。
【先行技術文献】
【特許文献】
【０００５】
【特許文献１】特開平１０−２７７０２７号公報
【特許文献２】特開平８−６６３９０号公報
【発明の概要】
【発明が解決しようとする課題】
【０００６】
特許文献１に記載されたように、支柱に造影剤用のコップ受けを配設した場合においては、オペレータがコップをコップ受けにおくためには、天板上に載置された被検者を越えるようにしてコップをコップ受けに載置することが困難であることから、コップを被検者に対して手渡しすることになり、コップを落下させてしまう危険性がある。また、コップ受けが支柱に配設されていることから、天板の位置と支柱の位置関係によっては、被検者がコップをコップ受けから取り出したり、コップ受けにおいたりすることが困難となる場合がある。
【０００７】
また、特許文献２に記載されたように、造影剤のコップ受けを吸盤や永久磁石により固定した場合には、被検者やオペレータがコップ受けと接触することによりコップ受けが落下する可能性がある。また、コップ受けを永久磁石により固定する構成を採用するためには、コップ受けの固定領域に対して金属板等を配設する必要がある。
【０００８】
さらに、特許文献１および特許文献２に記載の線透視撮影台においては、造影剤のコップをコップ受けにより支持する構成については言及されているが、造影剤とともに使用される発泡剤や水については考慮されていない。
【０００９】
この発明は上記課題を解決するためになされたものであり、造影剤用のコップや水用のコップ、あるいは、発泡剤等を、被検者が自ら容易に受け取り、または、載置することが可能なテーブルを備えたＸ線透視撮影装置を提供することを目的とする。
【課題を解決するための手段】
【００１０】
請求項１に記載の発明は、Ｘ線管と、前記Ｘ線管から照射され被検者を通過したＸ線を検出するＸ線検出器とを有する撮影系と、前記Ｘ線管と前記Ｘ線検出器の間に配置され、表面に前記被検者を載置可能な天板と、前記天板を支持する天板支持機構と、前記撮影系と前記天板とを、水平方向を向く軸を中心に互いに同期して回動させる回動機構と、を備えたＸ線透視撮影装置において、前記天板の裏面側に配置される収納位置と、前記天板より突出した突出位置との間を移動可能なテーブルと、前記テーブルが前記突出位置にあるときに、前記テーブルを当該テーブルの表面が水平となる位置で固定させる固定機構と、を備えたことを特徴とする。
【００１１】
請求項２に記載の発明は、請求項１に記載の発明において、前記天板に接続され、前記天板支持機構に対して回転可能に支持された支持軸と、前記支持軸をその軸心方向に移動させることにより、前記テーブルを、前記収納位置と前記突出位置との間で移動させるスライド機構と、前記テーブルが前記突出位置にあるときに、前記テーブルの表面が水平となる位置において、前記支持軸の回転を規制する回転規制機構と、を備える。
【００１２】
請求項３に記載の発明は、請求項２に記載の発明において、前記支持軸は、前記撮影系の移動領域より前記天板から離隔した位置に配置される。
【００１３】
請求項４に記載の発明は、請求項１から請求項３のいずれかに記載の発明において、前記突出位置は、前記テーブルが前記天板における前記天板支持機構とは逆側の側面に配置される位置である。
【発明の効果】
【００１４】
請求項１および請求項２に記載の発明によれば、突出位置に配置されたテーブル上に造影剤用のコップや水用のコップ、あるいは、発泡剤を載置することができる。このため、造影剤用のコップや水用のコップ、あるいは、発泡剤等を、被検者が自らテーブルから容易に受け取り、または、載置することが可能となる。また、テーブルを使用しないときには、テーブルを天板の裏面側の収納位置に移動させることが可能となる。
【００１５】
請求項３に記載の発明によれば、支持軸またはテーブルが撮影系と干渉し、あるいは、支持軸またはテーブルがＸ線管とＸ線検出器の間に配置されてＸ線撮影またはＸ線透視に支障をきたすことを防止することが可能となる。
【００１６】
請求項４に記載の発明によれば、オペレータがテーブルに容易にアクセスすることが可能となる。
【図面の簡単な説明】
【００１７】
【図１】この発明に係るＸ線透視撮影装置の斜視図である。
【図２】この発明に係るＸ線透視撮影装置の斜視図である。
【図３】天板１３および支持枠２２等を下方から見た斜視図である。
【図４】天板１３および支持枠２２等を下方から見た斜視図である。
【図５】テーブル３０の水平方向の移動状態を示す説明図である。
【図６】テーブル３０の水平方向の移動状態を示す説明図である。
【図７】支持板１８に形成された開口部３３と支持軸３１に付設されたストッパー３２との配置関係を示す拡大図である。
【図８】テーブル３０の下面を開口部２３とともに示す斜視図である。
【発明を実施するための形態】
【００１８】
以下、この発明の実施の形態を図面に基づいて説明する。図１および図２は、この発明に係るＸ線透視撮影装置の斜視図である。なお、図１は、天板１３の表面が水平方向を向いて配置された状態を示し、図２は、天板１３の表面が略鉛直方向を向いて配置された状態を示している。また、図２においては、後述する主支柱１５、保持部１６、支持板１８および基台２１の図示を省略している。
【００１９】
このＸ線透視撮影装置は、基台２１上に立設された一対の支持板１８に連結される主支柱１５と、この主支柱１５に対して昇降可能に配設された保持部１６と、この保持部１６に回動可能に連結された支持枠２２と、支持枠２２上に配設された天板１３と、Ｘ線管１１およびコリメータ１２を支持するアーム１９を備えた支柱１７と、天板１３の表面の下方におけるＸ線管１１と対向する位置に配設されたフラットパネルディテクタ等のＸ線検出器１４とを備える。天板１３の表面には、被検者が起立するための踏み台２４が配設されている。
【００２０】
保持部１６は、主支柱１５に沿って昇降可能となっている。また、天板１３および支持枠２２は、天板１３の長手方向と直交し、かつ、水平方向を向く軸を中心として回動する。また、支柱１７とＸ線検出器１４とは、天板１３の長手方向に互いに同期して往復移動する。さらに、Ｘ線管１１およびコリメータ１２は、アーム１９とともに、支柱１７に沿って昇降する。そして、支柱１７は、天板１３および支持枠２２と同期して、天板１３の長手方向と直交し、かつ、水平方向を向く軸を中心として回動する。この支柱１７の回動に伴って、Ｘ線管１１、コリメータ１２およびＸ線検出器１４を有する撮影系も回動することになる。
【００２１】
被検者に対してＸ線透視またはＸ線撮影を実行するときには、図２に示すように、天板１３を、その表面が略鉛直方向を向く位置に配置する。このときには、天板１３の表面は、水平方向に対して８８度の交差角となっている。この状態において、被検者は踏み台２４上に起立する。この状態から、天板１３をＸ線透視またはＸ線撮影に必要な角度まで傾斜させる。
【００２２】
支持枠２２の一方の側面には、開口部２３が形成されている。この開口部２３は、天板１３および支持枠２２に対して、天板支持機構を構成する主支柱１５および保持部１６とは逆側の側面に形成されている。そして、この開口部２３内には支持軸３１が配設されており、この支持軸３１の先端には、テーブル３０が固定されている。
【００２３】
ここで、開口部２３内に配設される支持軸３１およびテーブル３０は、Ｘ線管１１、コリメータ１２およびＸ線検出器１４を有する撮影系の移動領域に対して、天板１３から離隔した位置に配置される。すなわち、支持軸３１は、撮影系の移動領域より天板１３から離隔した位置に配置される。より具体的には、天板１３が図１に示す状態となったときに、支持軸３１およびテーブル３０は、Ｘ線検出器１４の移動領域より下側に配置される。このため、撮影系が移動した場合においても、支持軸３１またはテーブル３０が撮影系と干渉し、あるいは、支持軸３１またはテーブル３０がＸ線管１１とＸ線検出器１４の間に配置されることにより、Ｘ線撮影またはＸ線透視に支障をきたすことを防止することが可能となる。
【００２４】
図３はおよび図４は、天板１３および支持枠２２等を下方から見た斜視図である。また、図５および図６は、テーブル３０の水平方向の移動状態を示す説明図である。なお、図３および図５は、テーブル３０が突出位置に配置された状態を示し、図４および図６は、テーブル３０が収納位置に配置された状態を示している。また、図３においては、一方の支持板１８に形成された開口部３３付近の拡大図をも図示している。さらに、図７は、支持板１８に形成された開口部３３と支持軸３１に付設されたストッパー３２との配置関係を示す拡大図である。ここで、図３および図４においては、図５および図６に示す軸受部材３８、３９の図示を省略している。
【００２５】
支持軸３１は、一対の支持板１８に配設された軸受部材３８、３９に支持されており、その軸心を中心に回動、かつ、その軸心方向に往復移動可能となっている。また、図３および図４に示すように、一対の支持板１８のうち、テーブル３０側の支持板１８には、開口部３３が形成されている。さらに、支持軸３１には、棒状のストッパー３２が支持軸３１を貫通する状態で配設されている。支持軸３１の先端に固定されたテーブル３０は、支持軸３１の軸心方向への移動に伴って、図３および図５に示すように、平面視において天板１３および支持枠２２より側方に突出した突出位置と、図４および図６に示すように、天板１３および支持枠２２の裏面側に配置される収納位置との間を移動する。
【００２６】
テーブル３０が収納位置に配置されたときには、図４および図６に示すように、支持軸３１に配設されたストッパー３２は、一対の支持板１８の間の位置に配置される。一方、テーブル３０が突出位置に配置されたときには、図３および図５に示すように、支持軸３１に配設されたストッパー３２は、一方の支持板１８に形成された開口部３３内に配置される。図７に示すように、支持軸３１に配設されたストッパー３２が支持板１８に形成された開口部３３内に配置されたときには、ストッパー３２が開口部３３の端縁に当接する位置において、支持軸３１の回転が規制される。このときの支持軸３１の回転角度位置は、図１および図５に示すように、テーブル３０の表面が水平となる位置となっている。これらのストッパー３２および開口部３３は、テーブル３０が突出位置にあるときにテーブル３０の表面が水平となる位置において支持軸３１の回転を規制する回転規制機構として機能する。
【００２７】
図８は、テーブル３０の下面を開口部２３とともに示す斜視図である。なお、図８においては、テーブル３０が突出位置に配置された状態を示している。
【００２８】
この図に示すように、テーブル３０の下面には、凹部３４が形成されている。オペレータが収納位置にあるテーブル３０を突出位置まで移動させるときには、開口部２３におけるテーブル３０の下方の隙間から手を入れ、テーブル３０の下面に形成された凹部３４に指先をかけてテーブル３０を引き出す。一方、オペレータが突出位置にあるテーブル３０を収納位置まで移動させるときには、テーブル３０の側面を天板１３方向に向けて押圧する。
【００２９】
以上のような構成を有するＸ線透視撮影装置において、被検者に対するＸ線透視またはＸ線撮影を実行するときには、テーブル３０を天板１３および支持枠２２の裏面側に配置される収納位置に配置する。そして、図２に示すように、天板１３を、その表面が略鉛直方向を向く位置に配置する。この状態において、被検者を踏み台２４上に起立させ、天板１３をＸ線透視またはＸ線撮影に必要な角度まで傾斜させる。このときには、支持軸３１に配設されたストッパー３２は一対の支持板１８の間の位置に配置されており、その軸心を中心として回転可能となっている。このため、天板１３が回動したときには、テーブル３０は、支持枠２２に形成された開口部２３内において、天板１３とともに回動することになる。
【００３０】
天板１３がＸ線透視またはＸ線撮影に適した角度位置に配置されれば、オペレータはテーブル３０を収納位置から突出位置まで引き出した後、支持軸３１を中心として回動させる。このときには、支持軸３１に配設されたストッパー３２は、支持板１８に形成された開口部３３内に配置されている。そして、支持軸３１の回転は、ストッパー３２が開口部３３の端縁に当接する位置において規制される。このときの支持軸３１の回転角度位置は、図１に示すように、テーブル３０の表面が水平となる位置となっている。このため、テーブル３０は、その表面が水平となる位置で固定される。
【００３１】
この状態において、オペレータは、テーブル３０上に、造影剤用のコップや水用のコップ、あるいは、発泡剤を載置することができる。このときには、テーブル３０は、天板１３に対して、天板支持機構を構成する主支柱１５および保持部１６とは逆側の側面に形成されていることから、オペレータは容易に造影剤用のコップや水用のコップ、あるいは、発泡剤をテーブル３０上に載置することができる。また、テーブル３０は、天板１３の長手方向の中央部付近に常に配置されることから、被検者も、テーブル３０上の造影剤用のコップや水用のコップ、あるいは、発泡剤を、容易に受け取り、あるいは、これらをテーブル３０上に載置することが可能となる。
【符号の説明】
【００３２】
１１      Ｘ線管
１２      コリメータ
１３      天板
１４      Ｘ線検出器
１５      主支柱
１６      保持部
１７      支柱
１８      支持板
１９      アーム
２１      基台
２２      支持枠
２３      開口部
３０      テーブル
３１      支持軸
３２      ストッパー
３３      開口部
【図１】
2018046918.tif 000003
【図２】
2018046918.tif 000004
【図３】
2018046918.tif 000005
【図４】
2018046918.tif 000006
【図５】
2018046918.tif 000007
【図６】
2018046918.tif 000008
【図７】
2018046918.tif 000009
【図８】
2018046918.tif 000010